(57)【特許請求の範囲】
【請求項１】
記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、
該記録実行手段によりロール紙に記録する際に、該ロール紙上の前記副走査方向における既定長の記録領域の始端近傍及び終端近傍にて該ロール紙を切断するロール紙切断手段と、
前記ロール紙切断手段と前記記録実行手段とを制御する記録制御部と、
ロール紙に対する記録実行制御の中断要求を前記記録制御部に対して任意に出力可能なロール紙記録制御中断要求手段と、を備えた装置であって、
前記ロール紙切断手段は、前記記録実行手段より前記副走査方向に位置しており、
前記記録制御部は、
前記ロール紙を前記副走査方向と逆方向に搬送する際に、該ロール紙上に切断されていない記録領域がある場合には、該切断されていない記録領域の終端近傍にて前記ロール紙を切断した後に、該ロール紙を前記副走査方向と逆方向に搬送する制御、
前記ロール紙記録制御中断要求手段からの制御要求に対して、記録途中の記録終端近傍で前記ロール紙を切断する制御を実行する装置。
【請求項２】
コンピュータを請求項１記載の装置の前記記録制御部として機能させるプログラム。
【発明の詳細な説明】
【技術分野】
【０００１】
本願発明は、ロール紙に記録実行可能な構成を有するインクジェット式記録装置のロール紙切断制御方法に関する。
【背景技術】
【０００２】
ロール紙に記録実行可能なインクジェット式記録装置としては、ロール紙を含む記録紙に記録を実行する記録実行手段と、記録実行手段による記録実行領域の副走査方向下流側に配設されるロール紙カッター等のロール紙切断手段とを備え、ロール紙への記録実行、及び記録実行後のロール紙を適切な切断位置で切断することが可能な構成を有するインクジェット式記録装置が公知である。
【０００３】
このようなインクジェット式記録装置において、従来一般的に行われている記録実行制御、及びロール紙切断制御は、まず、記録データに含まれる記録紙サイズ情報に基づいて、ロール紙上の記録領域及び記録領域の終端近傍の切断位置が決定される。つづいて、記録実行手段によってロール紙の記録領域に記録が実行される。そして、あらかじめ決定されている切断位置において切断され、普通紙等の単票紙と同様に排出されるものである。
【０００４】
記録実行後のロール紙は、記録領域の終端近傍で切断される際に、ロール紙カッターによって切断可能な切断位置に、記録領域の終端近傍が到達するまで副走査方向に搬送される。そして、ロール紙は、ロール紙カッターによって切断される。切断後、ロール紙カッターの切断位置より副走査方向上流側のロール紙は、その始端が記録実行手段の記録開始位置に到達するまで、副走査方向と逆方向に搬送されて、次の記録領域の記録が行われる。
【０００５】
したがって、複数の記録領域を連続して実行する際には、１つの記録領域の記録を終える度に、ロール紙を副走査方向に搬送して切断し、副走査方向と逆方向へ搬送した後、次の記録領域の記録を実行することを繰り返すことになる。そのため、それによって、記録実行のスループットが低下するという問題が生じる。
【０００６】
このような問題を解決した従来技術としては、連続して複数の記録領域を記録する際に、１つの記録領域の終端まで記録を終えた時点で、次に記録を実行する記録領域がある場合には、その時点でのロール紙の切断を実行せずに、そのまま次の記録領域を実行するものが公知である。上述したロール紙の切断動作を記録領域毎に実行しないので、記録実行のスループットを向上させることができるものである。
【０００７】
また、記録実行後の記録領域の始端近傍及び終端近傍におけるロール紙の切断は、全ての記録終了後、ユーザーがロール紙を切断して排出するためのオペレーションボタンを押下することによって、ロール紙が副走査方向と逆方向に搬送され、全ての切断すべき位置でロール紙カッターにてロール紙が切断されて排出される。又は、複数の記録領域の最終端近傍のみ切断されて排出される構成とすることも可能である。あるいは、複数の記録領域の記録を連続して実行しつつ、記録実行中に記録領域間の切断すべき位置がロール紙カッターの切断位置に到達した時点で切断され、最後の記録領域のみ、ユーザーがオペレーションボタンを押下することによって、ロール紙カッターにより切断されて排出される構成とすることもできる。
【０００８】
ところで、ロール紙に記録実行可能な構成を有するインクジェット式記録装置には、一般的に、インクジェット式記録装置内部に残留している記録実行前のロール紙をロール紙ホルダ側、つまり給紙方向である副走査方向と逆方向側に排出させるロール紙排出ボタンが配設されている。単票紙の場合には副走査方向に排出することができるが、ロール紙は一連の長尺な記録紙がロール状に巻かれており、副走査方向に排出することができないので、副走査方向と逆方向に搬送して排出するものである。
【特許文献１】特開平０５−００８４７５号公報
【発明の開示】
【発明が解決しようとする課題】
【０００９】
しかしながら、前述したオペレーションボタンを押下することによって、副走査方向に排出されるはずの記録実行済みの記録領域がロール紙上に残っている状態で、このロール紙排出ボタンを押下すると、そのまま記録実行済みの記録領域が残った状態で、ロール紙ホルダ側に排出されてしまうことになる。そして、それによって、その記録済みの記録領域の始端近傍及び終端近傍をロール紙カッターにて切断することができなくなってしまうという問題が生じてしまう。
【００１０】
本願発明は、このような状況に鑑み成されたものであり、その課題は、記録実行済みの記録領域がロール紙上に残っている状態で、ロール紙がロール紙ホルダ側に排出されてしまうことを防止し、記録済みの記録領域の始端近傍及び終端近傍をロール紙カッターにて切断することができなくなってしまうことを防止することにある。
【課題を解決するための手段】
【００１１】
上記課題を達成するため、本願請求項１に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行するインクジェット式記録装置において、ロール紙に記録を実行する際は、該ロール紙上の前記副走査方向における既定長の記録領域の始端近傍及び終端近傍にて該ロール紙を切断するロール紙切断制御方法であって、前記ロール紙を前記副走査方向と逆方向に排出する際に、該ロール紙上に切断されていない記録実行済みの記録領域がある場合には、該記録実行済みの記録領域の始端近傍及び終端近傍にて前記ロール紙を切断した後に、該ロール紙を前記副走査方向と逆方向に排出する、ことを特徴としたロール紙切断制御方法である。
【００１２】
記録面に記録済みの記録領域を残した状態で、インクジェット式記録装置内に残留しているロール紙は、本来、自動又は手動に関わらずロール紙カッターにて切断されて副走査方向に排出されるべきものである。しかしながら、ロール紙へ連続して複数の記録領域を記録する際には、記録実行のスループットという観点から、前述したように、１つの記録領域の記録を終える毎にロール紙を切断位置まで搬送して切断するのは無駄が多いと言える。
【００１３】
また、前述したように、連続して複数の記録領域の記録を一気に実行した後に、それぞれの切断すべき位置で切断するのもスループットを低下させないひとつの方法であると言える。さらに、本来切断すべき位置でロール紙を切断しない形態で排出するといったニーズも想定され、ロール紙へ記録した記録領域は、必ずしも記録領域毎に切断されるとは限らない。したがって、これらのロール紙切断制御のバリエーションから、インクジェット式記録装置内に記録済みの記録領域を有するロール紙が残留した状態でインクジェット式記録装置が記録待機状態となるケースは、多々想定されると言える。
【００１４】
本願請求項１に記載の発明に係るロール紙切断制御方法は、ロール紙上に切断されていない記録実行済みの記録領域がある場合には、記録実行済みの記録領域の始端近傍及び終端近傍にてロール紙を切断した後に、ロール紙を副走査方向と逆方向にあるロール紙ホルダ側に排出するので、記録実行済みの記録領域がロール紙上に残っていない状態で、ロール紙をロール紙ホルダ側に排出することができる。
【００１５】
これにより、本願請求項１に記載の発明に係るロール紙切断制御方法によれば、記録実行済みの記録領域がロール紙上に残っている状態で、ロール紙がロール紙ホルダ側に排出されてしまうことを防止することができるので、記録済みの記録領域の始端近傍及び終端近傍をロール紙カッターにて切断することができなくなってしまうことを防止できるという作用効果が得られる。
【００１６】
本願請求項２に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行するインクジェット式記録装置において、ロール紙に記録を実行する際は、該ロール紙上の前記副走査方向における既定長の記録領域の始端近傍及び終端近傍にて該ロール紙を切断するロール紙切断制御方法であって、前記ロール紙を前記副走査方向と逆方向に排出する際に、該ロール紙上に切断されていない記録実行済みの記録領域がある場合には、該記録実行済みの記録領域の最終端近傍にて前記ロール紙を切断した後に、該ロール紙を前記副走査方向と逆方向に排出する、ことを特徴としたロール紙切断制御方法である。
【００１７】
このように、ロール紙上に切断されていない記録実行済みの記録領域がある場合には、記録実行済みの記録領域の最終端近傍にてロール紙を切断した後に、ロール紙を副走査方向と逆方向にあるロール紙ホルダ側に排出するので、記録実行済みの記録領域がロール紙上に残っていない状態で、ロール紙をロール紙ホルダ側に排出することができる。
【００１８】
また、記録実行済みの記録領域の最終端近傍にてロール紙を切断することによって、副走査方向と逆方向へロール紙を搬送する際の搬送量を最小限にすることができるので、ロール紙が副走査方向と逆方向に搬送される際に、排紙ギザローラ等によるロール紙の記録実行済みの記録面への影響を最小限にすることができる。
【００１９】
これにより、本願請求項２に記載の発明に係るロール紙切断制御方法によれば、本願請求項１に記載の発明と同様に、記録実行済みの記録領域がロール紙上に残っている状態で、ロール紙がロール紙ホルダ側に排出されてしまうことを防止することができるので、記録済みの記録領域の始端近傍及び終端近傍をロール紙カッターにて切断することができなくなってしまうことを防止できるという作用効果が得られる。
【００２０】
また、記録実行済みの記録領域の最終端近傍にてロール紙を切断することによって、ロール紙が副走査方向と逆方向に搬送される際に、排紙ギザローラ等によるロール紙の記録実行済みの記録面への影響を最小限にすることができるという作用効果も得られる。
【００２１】
本願請求項３に記載の発明は、請求項１又は２において、前記ロール紙切断制御方法は、記録終了時に次の記録データがある時は、前記ロール紙にそのまま次の記録を実行し、次の記録実行中に、記録が終了している記録の終端と記録途中の記録の始端と間の切断すべき位置が、ロール紙切断位置に到達した時点で、該ロール紙を切断し、記録終了時に次の記録データがない時は、その時点で記録実行制御を終了して、ロール紙切断制御要求待ち状態を維持し、手動操作による前記ロール紙切断制御要求があった時に、前記ロール紙の記録が終了している記録の終端の切断すべき位置が、前記ロール紙切断位置に到達するまで該ロール紙を搬送し、該ロール紙を切断して前記副走査方向に排出する、ことを特徴としたロール紙切断制御方法である。
【００２２】
このように、ロール紙への記録を連続して実行する際には、１つの記録領域の記録終了時にロール紙を切断せずに、そのまま次の記録を実行し、ロール紙上に記録済みの記録領域間の切断すべき位置が、ロール紙切断位置に到達した時点でロール紙を切断することによって、ロール紙に連続して複数の記録領域を記録する際のスループットを向上させることができる。
【００２３】
そして、次の記録データがない場合、つまり連続した複数の記録領域の最後の記録領域を記録し終えた時点で、その最後の記録領域部分のロール紙は、切断されずにインクジェット式記録装置内に残留した状態で待機状態となる。この待機状態から、次の記録実行制御要求によって、引き続き、記録を実行することが可能であるとともに、待機状態時にロール紙切断制御要求あった場合には、記録が終了している記録領域の終端の切断すべき位置をロール紙切断位置まで搬送し、切断して排出することも可能である。
【００２４】
このようなことから、ロール紙に対して、複数の記録領域を連続して記録する際には、最後の記録済みの記録領域がインクジェット式記録装置内に、必ず残留した状態で待機状態となる。つまり、上述したロール紙切断制御方法は、ロール紙に対して、複数の記録領域を連続して記録する際のスループットを向上させる効果がある反面、最後の記録済みの記録領域がインクジェット式記録装置内に残留してしまうものである。したがって、この状態からロール紙を後方に、つまり副走査方向と逆方向に配設されているロール紙ホルダ側に排出すると、記録済みの記録領域が残ったまま排出されてしまうことになる。
【００２５】
本願請求項３に記載の発明に係るロール紙切断制御方法は、上述の待機状態から、ロール紙を後方に排出する際には、インクジェット式記録装置内に残留している記録済みの記録領域を切断すべき位置で切断して、副走査方向に排出した後に、ロール紙をロール紙ホルダ側に排出するので、記録済みの記録領域が残ったまま排出されてしまうことを防止できる。
【００２６】
これにより、本願請求項３に記載の発明に係るロール紙切断制御方法によれば、本願請求項１又は２に記載の発明と同様に、記録実行済みの記録領域がロール紙上に残っている状態で、ロール紙がロール紙ホルダ側に排出されてしまうことを防止することができるので、記録済みの記録領域の始端近傍及び終端近傍をロール紙カッターにて切断することができなくなってしまうことを防止できるという作用効果が得られる。
【００２７】
本願請求項４に記載の発明は、請求項３において、前記ロール紙切断制御方法は、記録実行時に前記記録領域毎に設定される記録実行後の記録領域の始端近傍及び終端近傍における切断要否設定に応じて、前記記録領域の始端近傍及び終端近傍を切断する、ことを特徴としたロール紙切断制御方法である。
【００２８】
このように、記録実行時に設定される記録実行後の切断要否設定に応じて、記録領域の始端近傍及び終端近傍を切断するので、不要なロール紙の切断を防止することができる。
【００２９】
本願請求項４に記載の発明に係るロール紙切断制御方法によれば、本願請求項３に記載の発明による作用効果に加えて、不要なロール紙の切断を防止することができるので、それによるスループットの低下を防止することができるという作用効果が得られる。
【００３０】
本願請求項５に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、該ロール紙上の前記副走査方向における既定長の記録領域の始端近傍及び終端近傍にて該ロール紙を切断するロール紙切断手段と、前記記録実行手段及びロール紙切断手段を制御する記録制御部とを備えたインクジェット式記録装置であって、前記記録制御部は、前記ロール紙を前記副走査方向と逆方向に排出する際に、該ロール紙上に切断されていない記録実行済みの記録領域がある場合には、該記録実行済みの記録領域の始端近傍及び終端近傍にて前記ロール紙を切断した後に、該ロール紙を前記副走査方向と逆方向に排出する制御を実行する、ことを特徴としたインクジェット式記録装置である。本願請求項５に記載の発明に係るインクジェット式記録装置によれば、インクジェット式記録装置において、前述した本願請求項１に記載の発明と同様の作用効果を得ることができる。
【００３１】
本願請求項６に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、該ロール紙上の前記副走査方向における既定長の記録領域の始端近傍及び終端近傍にて該ロール紙を切断するロール紙切断手段と、前記記録実行手段及びロール紙切断手段を制御する記録制御部とを備えたインクジェット式記録装置であって、前記記録制御部は、前記ロール紙を前記副走査方向と逆方向に排出する際に、該ロール紙上に切断されていない記録実行済みの記録領域がある場合には、該記録実行済みの記録領域の最終端近傍にて前記ロール紙を切断した後に、該ロール紙を前記副走査方向と逆方向に排出する制御を実行する、ことを特徴としたインクジェット式記録装置である。本願請求項６に記載の発明に係るインクジェット式記録装置によれば、インクジェット式記録装置において、前述した本願請求項２に記載の発明と同様の作用効果を得ることができる。
【００３２】
本願請求項７に記載の発明は、請求項５又は６において、前記記録制御部は、記録終了時に次の記録データがある時は、前記ロール紙にそのまま次の記録を実行し、次の記録実行中に、記録が終了している記録の終端と記録途中の記録の始端と間の切断すべき位置が、前記ロール紙切断手段による切断位置に到達した時点で、該ロール紙を切断し、記録終了時に次の記録データがない時は、その時点で記録実行制御を終了して、ロール紙切断制御要求待ち状態を維持し、手動操作による前記ロール紙切断制御要求があった時に、前記ロール紙の記録が終了している記録の終端の切断すべき位置が、前記ロール紙切断手段による切断位置に到達するまで該ロール紙を搬送し、該ロール紙を切断して排出する制御を実行する、ことを特徴としたインクジェット式記録装置である。本願請求項７に記載の発明に係るインクジェット式記録装置によれば、インクジェット式記録装置において、前述した本願請求項３に記載の発明と同様の作用効果を得ることができる。
【００３３】
本願請求項８に記載の発明は、請求項７において、前記記録制御部は、記録実行時に前記記録領域毎に設定される記録実行後の記録領域の始端近傍及び終端近傍における切断要否設定に応じて、前記記録領域の始端近傍及び終端近傍を切断する制御を実行する、ことを特徴としたインクジェット式記録装置である。本願請求項８に記載の発明に係るインクジェット式記録装置によれば、インクジェット式記録装置において、前述した本願請求項４に記載の発明と同様の作用効果を得ることができる。
【００３４】
本願請求項９に記載の発明は、請求項５〜８のいずれか１項において、前記インクジェット式記録装置は、前記ロール紙を前記副走査方向と逆方向に排出する制御要求を、前記記録制御部に対して任意に出力可能なロール紙逆方向排出制御要求手段を備える、ことを特徴としたインクジェット式記録装置である。
【００３５】
本願請求項９に記載の発明に係るインクジェット式記録装置によれば、本願請求項５〜８のいずれか１項に記載の発明による作用効果に加えて、インクジェット式記録装置にロール紙逆方向排出制御要求手段が備えられているので、ユーザーの操作によって、任意にロール紙を副走査方向と逆方向に排出することができるという作用効果が得られる。
【００３６】
本願請求項１０に記載の発明は、請求項５〜９のいずれか１項において、前記インクジェット式記録装置は、記録済みの記録領域の始端近傍及び終端近傍にて前記ロール紙を切断し、切断した該ロール紙を前記副走査方向に排出する制御要求を、前記記録制御部に任意に出力可能なロール紙排出制御要求手段を備え、該ロール紙排出制御要求手段からの制御要求に対して前記記録制御部は、前記ロール紙上に切断されていない記録実行済みの記録領域がある場合には、該記録実行済みの記録領域の始端近傍及び終端近傍にて前記ロール紙を切断した後に、該ロール紙の始端が前記記録実行手段の記録開始位置に到達するまで、前記ロール紙を前記副走査方向と逆方向に搬送する制御を実行する、ことを特徴としたインクジェット式記録装置である。
【００３７】
このように、インクジェット式記録装置内のロール紙上に切断されていない記録実行済みの記録領域がある場合には、記録実行済みの記録領域の始端近傍及び終端近傍にてロール紙を切断するので、ロール紙に連続して記録を実行した後に、適切に記録済みのロール紙を切断して排出することができる。また、記録済みのロール紙を切断して排出した後に、記録されていないロール紙の始端が記録実行手段の記録開始位置に到達するまで副走査方向と逆方向に搬送する手段を備えているので、次のロール紙への記録実行時に、すぐに記録を開始できる。
【００３８】
本願請求項１０に記載の発明に係るインクジェット式記録装置によれば、本願請求項５〜９のいずれか１項に記載の発明による作用効果に加えて、インクジェット式記録装置に備えられているロール紙排出制御要求手段をユーザーが操作することによって、任意にロール紙を副走査方向に排出した後に、次の記録がすぐに実行可能な状態にロール紙を搬送することができるという作用効果が得られる。
【００３９】
本願請求項１１に記載の発明は、請求項５〜１０のいずれか１項において、前記インクジェット式記録装置は、ロール紙に対する記録実行制御の中断要求を、前記記録制御部に対して任意に出力可能なロール紙記録制御中断要求手段を備え、ロール紙記録制御中断要求手段からの制御要求に対して前記記録制御部は、記録途中の記録終端近傍で前記ロール紙を切断する制御を実行する、ことを特徴としたインクジェット式記録装置である。
【００４０】
このように、あらかじめ設定されている記録領域の終端近傍ではなく、記録途中の記録終端近傍で、つまり記録を中断した記録領域の終端近傍でロール紙を切断するので、残りの記録が実行されていない余白部分を無駄に捨ててしまうことなく記録を中断することができる。
【００４１】
これにより、本願請求項１１に記載の発明に係るインクジェット式記録装置によれば、本願請求項５〜１０のいずれか１項に記載の発明による作用効果に加えて、インクジェット式記録装置でロール紙に記録を実行する際、記録途中において記録実行制御を中断できるとともに、記録実行制御の中断時に無駄に捨てられてしまうロール紙を少なくすることができるという作用効果が得られる。
【００４２】
本願請求項１２に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段とを備えたインクジェット式記録装置のロール紙切断制御をコンピュータに実行させるロール紙切断制御プログラムであって、前記ロール紙を前記副走査方向と逆方向に排出する際に、該ロール紙上に切断されていない記録実行済みの記録領域がある場合には、該記録実行済みの記録領域の始端近傍及び終端近傍にて前記ロール紙を切断する手順と、該ロール紙を切断した後に、該ロール紙を前記副走査方向と逆方向に排出する手順とを有する、ことを特徴としたロール紙切断制御プログラムである。
【００４３】
本願請求項１２に記載の発明に係るロール紙切断制御プログラムによれば、前述した本願請求項１に記載の発明と同様の作用効果を得ることができるとともに、このロール紙切断制御プログラムを実行することができる任意のインクジェット式記録装置に、前述した本願請求項１に記載の発明と同様の作用効果をもたらすことができる。
【００４４】
本願請求項１３に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段とを備えたインクジェット式記録装置のロール紙切断制御をコンピュータに実行させるロール紙切断制御プログラムであって、前記ロール紙を前記副走査方向と逆方向に排出する際に、該ロール紙上に切断されていない記録実行済みの記録領域がある場合には、該記録実行済みの記録領域の最終端近傍にて前記ロール紙を切断する手順と、該ロール紙を切断した後に、該ロール紙を前記副走査方向と逆方向に排出する手順とを有する、ことを特徴としたロール紙切断制御プログラムである。
【００４５】
本願請求項１３に記載の発明に係るロール紙切断制御プログラムによれば、前述した本願請求項２に記載の発明と同様の作用効果を得ることができるとともに、このロール紙切断制御プログラムを実行することができる任意のインクジェット式記録装置に、前述した本願請求項２に記載の発明と同様の作用効果をもたらすことができる。
【００４６】
本願請求項１４に記載の発明は、請求項１２又は１３において、前記ロール紙切断制御プログラムは、記録終了時に次の記録データがある時は、前記ロール紙にそのまま次の記録を実行し、次の記録実行中に、記録が終了している記録の終端と記録途中の記録の始端と間の切断すべき位置が、前記ロール紙切断手段による切断位置に到達した時点で、該ロール紙を切断する手順と、記録終了時に次の記録データがない時は、その時点で記録実行制御を終了して、ロール紙切断制御要求待ち状態を維持する手順と、手動操作による前記ロール紙切断制御要求があった時に、前記ロール紙の記録が終了している記録の終端の切断すべき位置が、前記ロール紙切断手段による切断位置に到達するまで該ロール紙を搬送し、該ロール紙を切断して排出する手順とを有する、ことを特徴としたロール紙切断制御プログラムである。
【００４７】
本願請求項１４に記載の発明に係るロール紙切断制御プログラムによれば、前述した本願請求項３に記載の発明と同様の作用効果を得ることができるとともに、このロール紙切断制御プログラムを実行することができる任意のインクジェット式記録装置に、前述した本願請求項３に記載の発明と同様の作用効果をもたらすことができる。
【００４８】
本願請求項１５に記載の発明は、請求項１４において、前記ロール紙切断制御プログラムは、記録実行時に前記記録領域毎に設定される記録実行後の記録領域の始端近傍及び終端近傍における切断要否設定に応じて、前記記録領域の始端近傍及び終端近傍を切断する手順を有する、ことを特徴としたロール紙切断制御プログラムである。
【００４９】
本願請求項１５に記載の発明に係るロール紙切断制御プログラムによれば、前述した本願請求項４に記載の発明と同様の作用効果を得ることができるとともに、このロール紙切断制御プログラムを実行することができる任意のインクジェット式記録装置に、前述した本願請求項４に記載の発明と同様の作用効果をもたらすことができる。
【発明を実施するための最良の形態】
【００５０】
以下、本願発明の一実施の形態を図面に基づいて説明する。図１は、本願発明に係るインクジェット式記録装置の概略の平面図であり、図２はその側面図である。
【００５１】
インクジェット式記録装置５０には、普通紙等の単票紙、及びロール紙Ｐ等の長尺な記録紙に記録を実行する記録手段として、キャリッジガイド軸５１に軸支され、主走査方向Ｘに移動するキャリッジ６１が設けられている。キャリッジ６１には、記録紙にインクを吐出して記録を行う記録ヘッド６２が搭載されている。記録ヘッド６２と対向して、記録ヘッド６２のヘッド面と記録紙とのギャップを規定するプラテン５２が設けられている。そして、キャリッジ６１を主走査方向Ｘに搬送し、キャリッジ６１とプラテン５２の間に記録紙を副走査方向Ｙに搬送しながら、記録ヘッド６２が記録紙にインクを吐出することで記録紙に記録が行われる。
【００５２】
給紙トレイ３１は、例えば普通紙やフォト紙等の単票紙を給紙可能な構成となっており、単票紙を自動給紙するためのＡＳＦ（オート・シート・フィーダー）が設けられている。ＡＳＦは、給紙トレイ３１に設けられた２つの給紙ローラ２２及び図示してない分離パッドを有する給紙機構である。給紙ローラ２２は、ステッピングモータ等の回転駆動力により回転制御され、Ｄ形の断面形状を有している。この２つの給紙ローラ２２の１つは、給紙トレイ３１の一方側に配置され、もう１つの給紙ローラ２２は、記録紙ガイド３２に取り付けられており、記録紙ガイド３２は、記録紙の幅に合わせて符号Ａで示した矢印の方向に摺動可能に給紙トレイ３１に設けられている。そして、給紙ローラ２２の回転駆動力と、分離パッドの摩擦抵抗により、給紙トレイ３１に置かれた複数の単票紙を給紙する際に、複数の単票紙が一度に給紙されることなく、１枚ずつ正確に自動給紙される。
【００５３】
また、給紙トレイ３１の後方には、ロール紙ホルダ２１が設けられている。ロール紙ホルダ２１は、ロール紙支持軸２３が取り付けられたロール紙Ｐを回転可能に軸支している。ロール紙Ｐは、図２に示したように給紙トレイ３１を経由して給紙される。
【００５４】
そして、給紙された単票紙若しくはロール紙Ｐは、給紙ローラより副走査方向の下流側に配設された搬送ローラにより、記録実行領域側となる副走査方向Ｙの下流側に向けて、所定の紙送り量で間欠的に搬送される。
【００５５】
また、記録紙を副走査方向Ｙに間欠的に搬送する記録紙搬送手段として、搬送駆動ローラ５３と搬送従動ローラ５４が設けられている。搬送駆動ローラ５３は、ステッピングモータ等の回転駆動力により回転制御され、搬送駆動ローラ５３の回転により、記録紙は副走査方向Ｙに搬送される。搬送従動ローラ５４は複数設けられており、それぞれ個々に搬送駆動ローラ５３に付勢され、記録紙が搬送駆動ローラ５３の回転により搬送される際に、記録紙に接して記録紙の搬送に従動して回転する。
【００５６】
また、給紙ローラ２２と搬送駆動ローラ５３との間には、従来技術において公知の技術による紙検出器２４が配設されている。紙検出器２４は、立位姿勢への自己復帰習性が付与され、かつ記録紙搬送方向にのみ回動し得るよう記録紙の搬送経路内に突出する状態で枢支されたレバーを有し、このレバーの先端が記録紙に押されることでレバーが回動し、それによって、記録紙が検出される構成を成す検出器である。
【００５７】
一方、記録された記録紙を排紙する手段として、排紙駆動ローラ５５と排紙従動ローラ５６が設けられている。排紙駆動ローラ５５は、ステッピングモータ等の回転駆動力により回転制御され、排紙駆動ローラ５５の回転により、記録紙は副走査方向Ｙに排紙される。排紙従動ローラ５６は複数設けられ、周囲に複数の歯を有し、各歯の先端が記録紙の記録面に点接触するように鋭角的に尖っている歯付きローラとなっている。それぞれ個々に排紙駆動ローラ５５に搬送従動ローラ５４の付勢力よりも弱い付勢力で付勢され、記録紙が排紙駆動ローラ５５の回転により排紙される際に、記録紙に接して記録紙の排紙に従動して回転する。
【００５８】
そして、排紙駆動ローラ５５及び排紙従動ローラ５６の副走査方向下流側には、ロール紙Ｐを切断するロール紙カッター５７が設けられており、ロール紙Ｐは、記録終了後に切断すべき位置で、ロール紙カッター５７により切断される。尚、ロール紙カッター５７は、当該実施例においては、鋭利な刃でロール紙を符号Ｚで示した矢印の方向に上下から挟み切るものであるが、例えばロータリーカッター等、他の切断装置でも本願発明の実施は可能である。
【００５９】
さらに、インクジェット式記録装置５０には、本願発明に係る「ロール紙逆方向排出制御要求手段」としてのロール紙排出ボタン５８が、インクジェット式記録装置５０の操作しやすい位置に配設されている。この、ロール紙排出ボタン５８を操作することによって、インクジェット式記録装置５０内に残留しているロール紙Ｐは、ロール紙ホルダ２１側に排出される。
【００６０】
さらに、インクジェット式記録装置５０には、本願発明に係る「ロール紙排出制御要求手段」としてのオペレーションボタン５９が、インクジェット式記録装置５０の操作しやすい位置に配設されている。この、オペレーションボタン５９を操作することによって、インクジェット式記録装置５０内に残留している記録済みのロール紙Ｐは、切断要求が設定されている記録領域の始端近傍及び終端近傍にて切断され、副走査方向Ｙ側に排出される。
【００６１】
また、インクジェット式記録装置５０は、記録制御部１を備えている。記録制御部１は、図示していないＣＰＵ（中央演算処理ユニット）、及びＲＯＭ、ＲＡＭ等のＣＰＵ周辺ユニットを有しており、記録実行制御及びロール紙切断制御等のインクジェット式記録装置５０の制御プログラムを実行して、インクジェット式記録装置５０の制御が実行する機能を有している。
【００６２】
図３は、本願発明に係るロール紙切断制御の手順を示した概略のフローチャートであり、ロール紙排出ボタン５８を操作することによるロール紙Ｐの排出動作制御手順を示したものである。尚、当該フローチャートに示した手順は、インクジェット式記録装置５０の電源ＯＮ状態の間、常時所定の周期で繰り返される手順である。
【００６３】
まず、ロール紙排出ボタン５８が押下されたかを否かを判定する（ステップＳ１）。ロール紙排出ボタン５８が押下されていなければ（ステップＳ１でＮｏ）、手順を終了する。ロール紙排出ボタン５８が押下されていれば（ステップＳ１でＹｅｓ）、つづいて、ロール紙Ｐへの記録動作が実行中であるか否かを判定する（ステップＳ２）。ロール紙Ｐへの記録動作が実行中である場合には（ステップＳ２でＹｅｓ）、そのままロール紙Ｐへの記録動作を継続し（ステップＳ３）、ステップＳ１へ戻る。
【００６４】
ロール紙Ｐへの記録動作が実行中でない場合には（ステップＳ２でＮｏ）、つまりインクジェット式記録装置５０が記録動作中でなく記録待機状態である場合には、つづいて、インクジェット式記録装置５０内に残留しているロール紙Ｐに記録済みの記録領域があるか否かを判定する（ステップＳ４）。ロール紙Ｐに記録済みの記録領域がない場合には（ステップＳ４でＮｏ）、そのままロール紙Ｐを後方、つまり、ロール紙ホルダ２１側に、搬送駆動ローラ５３を副走査方向Ｙと逆方向に回転させることによってロール紙Ｐを排出する（ステップＳ８）。
【００６５】
尚、この排出動作は、当然のことながら、紙検出器２４がロール紙Ｐを検出している状態の時、つまりインクジェット式記録装置５０内にロール紙Ｐが残留している状態の時のみ実行されるものである。そして、紙検出器２４がロール紙Ｐを検出しなくなった時点で、搬送駆動ローラ５３の回転を停止させる。あるいは、インクジェット式記録装置５０内に残留しているロール紙Ｐの長さを、それまでの副走査方向Ｙへの搬送量から算出し、その長さのロール紙Ｐが排出されるだけの回転量だけ搬送駆動ローラ５３を回転させることによって、ロール紙Ｐを排出することも可能である。
【００６６】
一方、ロール紙Ｐに記録済みの記録領域がある場合には（ステップＳ４でＹｅｓ）、その記録領域に対して切断要求が設定されているか否かを判定する（ステップＳ５）。切断要求が設定されている記録領域があれば（ステップＳ５でＹｅｓ）、切断要求が設定されているロール紙Ｐの切断すべき位置をロール紙カッター５７の切断位置まで搬送して切断し、副走査方向Ｙに排出して（ステップＳ６）、ステップＳ４に戻る。
【００６７】
また、記録済みの記録領域があり（ステップＳ４でＹｅｓ）、切断要求が設定されている記録領域が無ければ（ステップＳ５でＮｏ）、記録済みの記録領域の最終端をロール紙カッター５７の切断位置まで搬送して切断し、副走査方向Ｙに排出する（ステップＳ７）。これによって、ロール紙Ｐの記録済みの記録領域が、全て切断されて副走査方向Ｙに排出された状態となる。そして、ロール紙Ｐを後方、つまり、ロール紙ホルダ２１側に、搬送駆動ローラ５３を副走査方向Ｙと逆方向に回転させることによってロール紙Ｐを排出する（ステップＳ８）。
【００６８】
図４は、本願発明に係るインクジェット式記録装置５０の概略の平面図であり、ロール紙Ｐが給紙された状態を示したものである。以下、ロール紙排出ボタン５８が押下された時に、ロール紙Ｐが後方、つまりロール紙ホルダ２１側に排出される手順について、図４〜図１３を参照しながら、順を追って説明する。
【００６９】
図５は、本願発明に係るインクジェット式記録装置５０の概略の平面図であり、ロール紙Ｐの記録面に記録が実行されている途中の状態を示したものである。記録ヘッド６２を搭載したキャリッジ６１が、主走査方向Ｘに往復動しながらロール紙Ｐに対して記録ヘッド６２からインクを吐出する動作と、搬送駆動ローラ５３が副走査方向Ｙに回転して、ロール紙Ｐを副走査方向Ｙに搬送する動作とが交互に繰り返されながら、ロール紙Ｐに対して記録が実行される。尚、ロール紙Ｐの記録面に示した斜線部分の領域は、記録済みの記録領域を示しており、以下の図面についても同様である。
【００７０】
図６は、本願発明に係るインクジェット式記録装置５０の概略の平面図であり、ロール紙Ｐの記録面への記録が、さらに実行され、連続した複数の記録領域の１つ目の記録領域の記録が終わった状態を示したものである。この時点においては、１つ目の記録領域の終端近傍の切断すべき位置を切断しないで、引き続き、２つ目以降の記録領域の記録が実行される。
【００７１】
図７は、本願発明に係るインクジェット式記録装置５０の概略の平面図であり、ロール紙Ｐの記録面への記録が、さらに実行され、連続した複数の記録領域の２つ目の記録領域の記録が実行されている途中の状態を示したものである。
【００７２】
図８は、本願発明に係るインクジェット式記録装置５０の概略の平面図であり、ロール紙Ｐの記録面への記録が、さらに実行され、１つ目の記録済みの記録領域の切断すべき位置が、ロール紙カッター５７の切断位置に到達した状態を示したものである。この時点において、記録実行動作を一時停止させ、ロール紙カッター５７によって、ロール紙Ｐの切断すべき位置を切断する。
【００７３】
図９は、本願発明に係るインクジェット式記録装置５０の概略の平面図であり、１つ目の記録済みの記録領域の切断すべき位置が、ロール紙カッター５７によって切断された状態を示したものである。１つ目の記録済みの記録領域の切断すべき位置が、ロール紙カッター５７によって切断された後、記録実行動作が再開され、引き続き、２つ目の記録領域の記録が実行される。このようにして、連続した複数の記録領域の記録が実行され、切断されて副走査方向Ｙへ排出される。
【００７４】
図１０は、本願発明に係るインクジェット式記録装置５０の概略の平面図であり、連続した複数の記録領域の最後の記録領域への記録が終わった状態を示したものである。この時点で、連続した複数の記録領域の記録が終わり、記録済みの最後の記録領域がインクジェット式記録装置５０内に残留した状態で、インクジェット式記録装置５０は、記録待機状態となる。そして、この状態で、ロール紙排出ボタン５８を押下すると、図３のフローチャートに示した手順にしたがって、ロール紙Ｐが後方、つまりロール紙ホルダ２１側に排出されることになる。また、この状態から、続けて次の記録を行うこともできる。
【００７５】
図１１は、本願発明に係るインクジェット式記録装置５０の概略の平面図であり、記録済みの最後の記録領域の切断すべき位置が、ロール紙カッター５７の切断位置に位置するまでロール紙Ｐが搬送された状態を示したものである。そして、図１２に示したように、ロール紙カッター５７の切断位置に位置するまで搬送された切断すべき位置でロール紙Ｐが切断され、図１３に示したように、ロール紙Ｐは、符号Ｂで示した矢印の方向に搬送駆動ローラ５３が副走査方向Ｙと逆方向に回転することによって、ロール紙ホルダ２１側に図示の如く排出される。
【００７６】
このようにして、記録済みの記録領域がロール紙Ｐ上に残っている状態で、ロール紙排出ボタン５８を押下した際には、記録実行済みの記録領域の始端近傍及び終端近傍にてロール紙を切断した後に、ロール紙Ｐを副走査方向Ｙと逆方向にあるロール紙ホルダ２１側に排出するので、記録実行済みの記録領域がロール紙Ｐ上に残っていない状態で、ロール紙Ｐをロール紙ホルダ２１側に排出することができる。
【００７７】
また、インクジェット式記録装置５０には、前述したようにオペレーションボタン５９が備えられており、このオペレーションボタン５９を操作することによって、ロール紙Ｐは、切断要求が設定されている記録領域の始端近傍及び終端近傍にて切断され、切断された記録済みの記録領域が副走査方向Ｙ側に排出され、ロール紙Ｐの始端位置が記録実行開始位置に位置するまで搬送される。
【００７８】
図１４は、本願発明に係るロール紙切断制御の手順を示した概略のフローチャートであり、オペレーションボタン５９を操作することによるロール紙Ｐの排出動作制御手順を示したものである。尚、当該フローチャートに示した手順は、インクジェット式記録装置５０の電源ＯＮ状態の間、常時所定の周期で繰り返される手順である。
【００７９】
まず、オペレーションボタン５９が押下されたかを否かを判定する（ステップＳ１１）。以下、ステップＳ１２〜Ｓ１７までは、図３に示したステップＳ２〜Ｓ７までと同様なので、説明は省略する。そして、全ての記録済みの記録領域を切断後、ロール紙Ｐは、その始端位置が記録実行開始位置に位置するまで搬送される（ステップＳ１８）。
【００８０】
つまり、オペレーションボタン５９を押下することによって、インクジェット式記録装置５０内に残留している記録済みのロール紙Ｐは、前述のロール紙排出ボタン５８を押下した時と同様に、図４〜図１３に示した如く、切断要求が設定されている記録領域の始端近傍及び終端近傍にて切断され、副走査方向Ｙ側に排出される。そして、ロール紙Ｐは、図１５に示した如く、符号Ｂで示した矢印の方向に搬送駆動ローラ５３が副走査方向Ｙと逆方向に回転することによって、そのロール紙Ｐの始端が記録実行開始位置に位置するまで搬送される。
【００８１】
このようにして、記録済みの記録領域がロール紙Ｐ上に残っている状態で、オペレーションボタン５９を押下した際には、記録実行済みの記録領域の始端近傍及び終端近傍にてロール紙Ｐを切断した後に、ロール紙Ｐへの次の記録をすぐに開始することができる状態にすることができる。
【００８２】
また、他の実施の形態としては、ロール紙Ｐに対して複数の記録領域を連続して記録した後に、各記録領域を切断するインクジェット式記録装置５０が挙げられる。
【００８３】
図１６は、本願発明に係るインクジェット式記録装置５０の概略の平面図であり、ロール紙Ｐに対して複数の記録領域を切断すべき位置で切断しないまま、連続して記録している途中の状態を示したものである。そして、図１７は、ロール紙Ｐに対して複数の記録領域を切断しないで連続して記録し終えた状態を示したものである。この状態から、符号Ｃ１、Ｃ２、Ｃ３で示した切断すべき位置が、Ｃ１の切断すべき位置から順番にロール紙カッター５７の切断位置で切断されて排出される。そして、前述の図１３で示したように、ロール紙Ｐは、符号Ｂで示した矢印の方向に搬送駆動ローラ５３が副走査方向Ｙと逆方向に回転することによって、ロール紙ホルダ２１側に排出される。このような態様においても、本願発明の実施は可能であり、本願発明による作用効果を得ることができる。
【００８４】
さらに、他の実施の形態としては、上述の実施の形態に加えて、ロール紙Ｐへの記録動作実行中に記録動作を中断した際には、記録済みの記録領域を切断して副走査方向Ｙに排出し、ロール紙Ｐをロール紙ホルダ２１側に排出するものが挙げられる。
【００８５】
図１８は、本願発明に係るロール紙切断制御の手順を示した概略のフローチャートであり、記録実行動作中にロール紙排出ボタン５８を操作することによって、ロール紙Ｐへの記録実行動作を中断して、ロール紙Ｐをロール紙ホルダ２１側に排出する排出動作制御手順を示したものである。
【００８６】
まず、ロール紙排出ボタン５８が押下されたかを否かを判定する（ステップＳ２１）。ロール紙排出ボタン５８が押下されていなければ（ステップＳ２１でＮｏ）、手順を終了する。ロール紙排出ボタン５８が押下されていれば（ステップＳ２１でＹｅｓ）、つづいて、ロール紙Ｐへの記録動作が実行中であるか否かを判定する（ステップＳ２２）。
【００８７】
ロール紙Ｐへの記録動作が実行中である場合には（ステップＳ２２でＹｅｓ）、その時点でロール紙Ｐへの記録動作を中断し（ステップＳ２３）、ステップＳ２５へ進む。以下、ステップＳ２４〜Ｓ２８までは、図３に示したステップＳ２〜Ｓ８までと同様なので、説明は省略する。このようにして、記録途中で中断された記録領域は、記録を終えている領域の終端近傍で切断されて、副走査方向Ｙに排出される。
【００８８】
図１９は、本願発明に係るインクジェット式記録装置５０の概略の平面図であり、ロール紙Ｐに複数の記録領域を連続して記録実行中に、ロール紙排紙ボタン５８が押下されて記録動作が中断した状態を示したものである。
【００８９】
この状態からロール紙Ｐは、図２０に示したように、まず、記録済みの記録領域の切断すべき位置が、ロール紙カッター５７の切断位置に位置するまで符号Ｂの矢印で示した方向に搬送される。つづいて、図２１に示したように、ロール紙Ｐは、その切断すべき位置で切断され、記録済みの記録領域が副走査方向Ｙに排出される。
【００９０】
つづいて、図２２で示したように、ロール紙Ｐは、途中で記録実行動作が中断された記録領域の終端近傍が、ロール紙カッター５７の切断位置に位置するまで副走査方向Ｙに搬送され、途中で記録実行動作が中断された記録領域の終端近傍が切断されて、副走査方向Ｙに排出される。そして、図２３に示したように、ロール紙Ｐは、再び符号Ｂの矢印で示した方向に搬送されて、ロール紙ホルダ２１側に排出される。
【００９１】
また、当該実施の形態においては、ロール紙Ｐへの記録動作実行中にオペレーションボタン５９を押下することによって、同様に記録動作を中断させることも可能である。
【００９２】
図２４は、本願発明に係るロール紙切断制御の手順を示した概略のフローチャートであり、記録実行動作中にオペレーションボタン５９を操作することによって、ロール紙Ｐへの記録実行動作を中断して、ロール紙Ｐの始端を記録実行開始位置まで搬送する排出動作制御手順を示したものである。
【００９３】
まず、オペレーションボタン５９が押下されたかを否かを判定する（ステップＳ３１）。以下、ステップＳ３２〜Ｓ３７までは、図１８に示したステップＳ２２〜Ｓ２７までと同様なので、説明は省略する。そして、全ての記録済みの記録領域を切断後、ロール紙Ｐは、その始端位置が記録実行開始位置に位置するまで搬送される（ステップＳ３８）。このような態様においても、本願発明の実施は可能であり、本願発明による作用効果を得ることができる。
【００９４】
尚、本願発明は上記実施例に限定されることなく、特許請求の範囲に記載した発明の範囲内で、種々の変形が可能であり、それらも本願発明の範囲内に含まれるものであることは言うまでもない。
【００９５】
本願発明によれば、記録実行済みの記録領域がロール紙上に残っている状態で、ロール紙がロール紙ホルダ側に排出されてしまうことを防止し、記録済みの記録領域の始端近傍及び終端近傍をロール紙カッターにて切断することができなくなってしまうことを防止することができる。
【図面の簡単な説明】
【００９６】
【図１】本願発明に係るインクジェット式記録装置の概略の平面図である。
【図２】本願発明に係るインクジェット式記録装置の概略の側面図である。
【図３】本願発明に係るロール紙切断制御の手順を示した概略のフローチャートであり、ロール紙排出ボタンを操作することによるロール紙Ｐの排出動作制御手順を示したものである。
【図４】本願発明に係るインクジェット式記録装置の概略の平面図であり、ロール紙が給紙された状態を示したものである。
【図５】本願発明に係るインクジェット式記録装置の概略の平面図であり、ロール紙の記録面に記録が実行されている途中の状態を示したものである。
【図６】本願発明に係るインクジェット式記録装置の概略の平面図であり、ロール紙の記録面への記録が、さらに実行され、連続した複数の記録領域の１つ目の記録領域の記録が終わった状態を示したものである。
【図７】本願発明に係るインクジェット式記録装置の概略の平面図であり、ロール紙の記録面への記録が、さらに実行され、連続した複数の記録領域の２つ目の記録領域の記録が実行されている途中の状態を示したものである。
【図８】本願発明に係るインクジェット式記録装置の概略の平面図であり、ロール紙の記録面への記録が、さらに実行され、１つ目の記録済みの記録領域の切断すべき位置が、ロール紙カッターの切断位置に到達した状態を示したものである。
【図９】本願発明に係るインクジェット式記録装置の概略の平面図であり、１つ目の記録済みの記録領域の切断すべき位置が、ロール紙カッターによって切断された状態を示したものである。
【図１０】本願発明に係るインクジェット式記録装置の概略の平面図であり、連続した複数の記録領域の最後の記録領域への記録が終わった状態を示したものである。
【図１１】本願発明に係るインクジェット式記録装置の概略の平面図であり、記録済みの最後の記録領域の切断すべき位置が、ロール紙カッターの切断位置に位置するまでロール紙が搬送された状態を示したものである。
【図１２】本願発明に係るインクジェット式記録装置の概略の平面図であり、ロール紙カッターの切断位置に位置するまで搬送された切断すべき位置でロール紙Ｐが切断された状態を示したものである。
【図１３】本願発明に係るインクジェット式記録装置の概略の平面図であり、ロール紙が、搬送駆動ローラの副走査方向と逆方向の回転によって、ロール紙ホルダ側に排出された状態を示したものである。
【図１４】本願発明に係るロール紙切断制御の手順を示した概略のフローチャートであり、オペレーションボタンを操作することによるロール紙の排出動作制御手順を示したものである。
【図１５】本願発明に係るインクジェット式記録装置の概略の平面図であり、ロール紙が、搬送駆動ローラの副走査方向と逆方向の回転によって、そのロール紙の始端が記録実行開始位置に位置するまで搬送された状態を示したものである。
【図１６】本願発明に係るインクジェット式記録装置の概略の平面図であり、ロール紙に対して複数の記録領域を切断しないで連続して記録している途中の状態を示したものである。
【図１７】本願発明に係るインクジェット式記録装置の概略の平面図であり、ロール紙に対して複数の記録領域を切断しないで連続して記録し終えた状態を示したものである。
【図１８】本願発明に係るロール紙切断制御の手順を示した概略のフローチャートであり、記録実行動作中にロール紙排出ボタンを操作することによって、ロール紙への記録実行動作を中断して、ロール紙をロール紙ホルダ側に排出する手順を示したものである。
【図１９】本願発明に係るインクジェット式記録装置の概略の平面図であり、ロール紙に複数の記録領域を連続して記録実行中に、ロール紙排紙ボタンが押下されて記録動作が中断した状態を示したものである。
【図２０】本願発明に係るインクジェット式記録装置の概略の平面図であり、図１９から、記録済みの記録領域の切断すべき位置が、ロール紙カッターの切断位置に位置するまで搬送された状態を示したものである。
【図２１】本願発明に係るインクジェット式記録装置の概略の平面図であり、ロール紙が、その切断すべき位置で切断され、記録済みの記録領域が副走査方向に排出された状態を示したものである。
【図２２】本願発明に係るインクジェット式記録装置の概略の平面図であり、ロール紙の記録実行動作が中断された記録領域の終端近傍が、ロール紙カッターの切断位置で切断されて、副走査方向に排出された状態を示したものである。
【図２３】本願発明に係るインクジェット式記録装置の概略の平面図であり、ロール紙がロール紙ホルダ側に排出された状態を示したものである。
【図２４】本願発明に係るロール紙切断制御の手順を示した概略のフローチャートであり、記録実行動作中にオペレーションボタンを操作することによって、ロール紙への記録実行動作を中断して、ロール紙の始端を記録実行開始位置まで搬送する手順を示したものである。
【符号の説明】
【００９７】
１  記録制御部、２１  ロール紙ホルダ、２２  給紙ローラ、２４  紙検出器、３１  給紙トレイ、３２  記録紙ガイド、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  ロール紙カッター、５８  ロール紙排出ボタン、５９  オペレーションボタン、６１  キャリッジ、６２  記録ヘッド、Ｐ  ロール紙、Ｘ  主走査方向、Ｙ  副走査方向
【図１】
0004803388.tif 000002
【図２】
0004803388.tif 000003
【図３】
0004803388.tif 000004
【図４】
0004803388.tif 000005
【図５】
0004803388.tif 000006
【図６】
0004803388.tif 000007
【図７】
0004803388.tif 000008
【図８】
0004803388.tif 000009
【図９】
0004803388.tif 000010
【図１０】
0004803388.tif 000011
【図１１】
0004803388.tif 000012
【図１２】
0004803388.tif 000013
【図１３】
0004803388.tif 000014
【図１４】
0004803388.tif 000015
【図１５】
0004803388.tif 000016
【図１６】
0004803388.tif 000017
【図１７】
0004803388.tif 000018
【図１８】
0004803388.tif 000019
【図１９】
0004803388.tif 000020
【図２０】
0004803388.tif 000021
【図２１】
0004803388.tif 000022
【図２２】
0004803388.tif 000023
【図２３】
0004803388.tif 000024
【図２４】
0004803388.tif 000025